(57)【要約】【課題】  ３枚によって構成される蓋の開閉が容易で、しかも、コストダウンを図った矩形状マンホールを提供する。【解決手段】  この矩形状マンホールは、鉛直姿勢の壁状部１１によって一対の長辺部と一対の短辺部とが対向するように矩形状に形成され、かつ、内側に支承部１３が設けられた受枠１０と、周端部２ａが前記受枠１０の支承部１３に支承されるように前記受枠１０に着脱される蓋２とを備えている。前記受枠１０には、各長辺部の中心に外向きに突出する張出し部１６，１６が設けられている。前記蓋２は、両端部２０ａ，２０ａが前記張出し部１６，１６に嵌め込まれるセンター蓋体２０と、該センター蓋体２０を両側から挟む一対のサイド蓋体３０，３０とに分割されている。サイド蓋体３０の外側サイド部には施錠手段３７が備えられ、受枠１０には、ロック機構のように作用するカバー部１８が設けられている。【選択図】  図１
2006336312.tif 000002
【特許請求の範囲】
【請求項１】
一対の長辺部と一対の短辺部とが対向する矩形状に形成され、かつ、内側に支承部が設けられた受枠と、周端部が前記受枠の支承部に支承されるように前記受枠に着脱される蓋とを備えている矩形状マンホールであって、
前記受枠は、各長辺部の中心に外向きに突出する張出し部が設けられ、前記蓋は、両端部が前記張出し部に嵌め込まれるセンター蓋体と、該センター蓋体を両側から挟む一対のサイド蓋体とに分割されていることを特徴とする矩形状マンホール。
【請求項２】
前記センター蓋体は、側面が上向きに傾斜し、
前記サイド蓋体は、内側サイドの側面が前記センター蓋体の側面と接合するように下向きに傾斜していることを特徴とする請求項１に記載の矩形状マンホール。
【請求項３】
前記受枠の長辺部には、中心側が深く、端部側が浅くなるように傾斜しているレールが設けられ、
前記サイド蓋体には、前記レール上を転動するローラが備えられていることを特徴とする請求項１または２に記載の矩形状マンホール。
【請求項４】
前記サイド蓋体には、施錠手段が備えられていることを特徴とする請求項１から３のいずれか一つに記載の矩形状マンホール。
【請求項５】
前記受枠には、嵌め込まれたサイド蓋のローラの上側に被さるカバー部が設けられていることを特徴とする請求項４に記載の矩形状マンホール。
【発明の詳細な説明】
【技術分野】
【０００１】
本発明は、道路などに設置される矩形状マンホールに関し、詳しくは、対向する一対の長辺部と一対の短辺部とによって矩形状に形成された受枠に３枚で構成される蓋が着脱されるようにした矩形状マンホールに関する。
【背景技術】
【０００２】
電線やガス管その他のライフラインをまとめて地中に収容する共同溝は、矩形状マンホールによって地上と連通している。矩形状マンホールは、図５に示すように、開口部１を設けた矩形状の受枠１１０と、この受枠１１０に着脱される蓋１２０とを備えている。
【０００３】
受枠１１０は、鉛直姿勢の壁状部１１１によって一対の長辺部と一対の短辺部とが対向する矩形状に形成されている。そして、ライフラインがガス管のように硬くて長いものであっても容易に共同溝内に搬入することができるように、受枠１１０の長辺部は短辺部の２倍以上の長さとされている。
【０００４】
また、壁状部１１１の内側には、蓋１２０を支承する支承部１１２が設けられている。支承部１１２は、壁状部１１１の内側にわずかな角度をもって上向きに傾斜したテーパ面１１３と、このテーパ面１１３の下端から内向きに突出した突条１１４とによって構成されている。また、受枠１１０の各長辺部の支承部１１２の下側には、板状のレール１１５が突設されている。
【０００５】
一方、蓋１２０は、受枠１１０に容易に着脱することができるようにするため、センター蓋体１２１と２枚のサイド蓋体１２２，１２２とで構成されている。センター蓋体１２１の両端部１２１ａ，１２１ａは、受枠１１０の各長辺部中心に架け渡され、支承部１１２上にセットされる。また、センター蓋体１２１の両端部１２１ａ，１２１ａは、ボルト１３０，１３０によって受枠１１０に固定される。さらに、センター蓋体１２１の各側面１２１ｂ，１２１ｂａは、わずかな角度をもって上向きに傾斜している。
【０００６】
そして、サイド蓋体１２２の周端部の側面１２２ｂは、前記受枠１１０のテーパ面１１３およびセンター蓋体１２１の側面１２１ａと接合するようにわずかに下向きに傾斜している。このようなサイド蓋体１２２がセンター蓋体１２１を両側から挟むように受枠１１０にセットされると、サイド蓋体１２２の周端部の側面１２２ｂが前記受枠１１０の支承部１１２とセンター蓋体１２１の側面１２１ａに支承される。
【０００７】
このようなサイド蓋体１２２は重量があるため、サイド蓋体１２２がセンター蓋体１２１と接合する側（以下、「内側サイド」という。）の底面両端部には、前記受枠１１０のレール１１５上を転動するローラ１２３が取り付けられている。さらに、サイド蓋体１２２の受枠１１０の短辺部と接合する側（以下、「外側サイド」という。）の端部には、施錠手段１２４が取り付けられている。
【０００８】
このような矩形状マンホールにおいて受枠１１０の内側の開口部１を蓋１２０によって塞ぐには、まず、センター蓋体１２１を受枠１１０の長辺部中心にセットする。このセンター蓋体１２１の両端部１２１ａ，１２１ａは、ボルト１３０，１３０によって受枠１１０に固定される。この後、センター蓋体１２１の両側にサイド蓋体１２２，１２２をセットする。サイド蓋体１２２は、ローラ１２３がレール１１５上を転動しながらが受枠１１０の短辺部側からセンター蓋体１２１の方へ移動する。
【０００９】
そして、ローラ１２３がレール１１５上を転動することによって、サイド蓋体１２２は、ある程度のスピードをもってセンター蓋体１２１に衝突する。しかし、センター蓋体１２１は、ボルト１３０，１３０によって受枠１１０に固定されているため、位置ずれしない。このようにして開口部１がセンター蓋体１２１と２枚のサイド蓋体１２２，１２２によって塞がれる。
【００１０】
そして、サイド蓋体１２２に設けられた施錠手段１２４が施錠されると、センター蓋体１２１はサイド蓋体１２２に重なり合わされていることから、取り外されることがない。また、開口部１を開けた状態とするときは、施錠手段１２４を開錠し、両サイド蓋体１２２，１２２を受枠１１０から外した後、ボルト１３０，１３０を外し、センター蓋体１２１を受枠１１０から取り外す。
【発明の開示】
【発明が解決しようとする課題】
【００１１】
前記の矩形状マンホールは、センター蓋体１２１の両端部１２１ａ，１２１ａをボルト１３０，１３０によって受枠１１０に固定しなければならない。しかし、ボルト１３０，１３０の取付けおよび取外しの作業は面倒であるだけでなく、ボルト１３０の部品代が矩形状マンホールのコストアップの一因となり、さらに、ボルト１３０が誤って共同溝内に落下すると、見つけ出すことが困難である。
【００１２】
そこで、本発明は、３枚によって構成される蓋の開閉が容易で、しかも、コストダウンを図った矩形状マンホールを提供することを課題とする。
【課題を解決するための手段】
【００１３】
本発明に係る矩形状マンホールは、一対の長辺部と一対の短辺部とが対向する矩形状に形成され、かつ、内側に支承部が設けられた受枠と、周端部が前記受枠の支承部に支承されるように前記受枠に着脱される蓋とを備えている矩形状マンホールであって、前記受枠は、各長辺部の中心に外向きに突出する張出し部が設けられ、前記蓋は、両端部が前記張出し部に嵌め込まれるセンター蓋体と、該センター蓋体を両側から挟む一対のサイド蓋体とに分割されていることを特徴としている。
【００１４】
この矩形状マンホールによれば、受枠の内側が開口部とされ、この開口部がセンター蓋体と一対のサイド蓋体とによって開閉される。センター蓋体は、両端部が受枠の各長辺部の中心に設けられた張出し部に嵌め込まれてセットされる。したがって、センター蓋体は、ボルトなどの固定具によって受枠に固定しなくても、サイド蓋体に衝突されたときに移動することがない。
【００１５】
また、前記本発明に係る矩形状マンホールにおいて、前記センター蓋体は、側面が上向きに傾斜し、前記サイド蓋体は、内側サイドの側面が前記センター蓋体の側面と接合するように下向きに傾斜していることが好ましい。
【００１６】
この矩形状マンホールによれば、受枠にセットされたセンター蓋体の両側にサイド蓋体がセットされると、サイド蓋体の下向きに傾斜している側面がセンター蓋体の上向きに傾斜している側面に被さる状態となり、センター蓋体は上方へ取り出されることがない。
【００１７】
また、前記本発明に係る矩形状マンホールにおいて、前記受枠の長辺部には、中心側が深く、端部側が浅くなるように傾斜しているレールが設けられ、前記サイド蓋体には、前記レール上を転動するローラが備えられていることが好ましい。
【００１８】
この矩形状マンホールによれば、サイド蓋体の内側サイドの底面にローラが備えられ、このローラが受枠に設けられたレール上を転動することにより、サイド蓋体を受枠に着脱する作業の労力が軽減される。また、サイド蓋体を受枠にセットするときは、中心側が端部側よりも低く傾斜しているレール上を転動するローラによって、サイド蓋体が受枠の端部側から中心側へスムーズに移動する。そして、サイド蓋体がセンター蓋体に衝突しても、センター蓋体は、両端部が受枠の張出し部に嵌め込まれているため移動することなく、サイド蓋体は所定の位置で開口部を塞ぐ。
【００１９】
また、前記本発明に係る矩形状マンホールにおいて、前記サイド蓋体には、施錠手段が備えられていることが好ましい。
【００２０】
この矩形状マンホールによれば、サイド蓋体に施錠手段が備えられていることにより、蓋が勝手に開けられないようにすることができる。すなわち、サイド蓋体は施錠手段が施錠されることによって受枠から取り外されない。また、センター蓋体もサイド蓋体の内側サイドの側面が被さった状態とされることにより取り外されない。サイド蓋体の内側サイドの側面がセンター蓋体の側面に被さった状態とされない場合は、センター蓋体はサイド蓋体にフックなどによって係止されるようにすることにより、勝手に取り外せないようにすることができる。
【００２１】
また、前記本発明に係る矩形状マンホールにおいて、前記受枠には、嵌め込まれたサイド蓋体のローラの上側に被さるカバー部が設けられていることが好ましい。
【００２２】
この矩形状マンホールによれば、受枠に設けられたカバー部が受枠に嵌め込まれたサイド蓋体のローラ部の上側を覆うため、カバー部がロック機構のように作用し、サイド蓋体が上方に持ち上げられようとしても、ローラがカバー部に衝止され、サイド蓋体が受枠から取り外されないようにすることができる。
【発明の効果】
【００２３】
本発明によれば、矩形状マンホールは、矩形状の受枠の長辺部に外向きに突出する張出し部が設けられ、また、受枠に嵌め込まれる蓋がセンター蓋体と一対のサイド蓋体とに分割され、そして、センター蓋体の両端部が前記張出し部に嵌め込まれることにより、センター蓋体を固定するためのボルトなどの固定具を備えなくてもよいようにすることができる。
【００２４】
したがって、センター蓋体は、ボルトなどの固定具を使用しないで受枠にセットすることができ、蓋を受枠に着脱する作業性が向上し、作業者の負担が軽減される。また、ボルトなどの固定具の部品代を削減することができるため、矩形状マンホールのコストダウンを図ることができる。さらに、ボルトなどの固定具が共同溝内に落下して、別の固定具で代替するという不都合を解消することができる。
【発明を実施するための最良の形態】
【００２５】
本発明に係る矩形状マンホールの一実施形態について図１ないし図４を参照しながら説明する。この矩形状マンホールは、内側に開口部１を設けた矩形状の受枠１０と、この受枠１０に着脱される蓋２とを備えている。
【００２６】
受枠１０は、断面がＬ字形に一体成形された鉛直姿勢の壁状部１１と水平姿勢の座部１２とを有し、そして、座部１２を外向きにして、一対の長辺部と一対の短辺部とが対向する矩形状に形成されている。壁状部１１の内側には、蓋２の周端部２ａを支承する支承部１３が形成されている。この支承部１３は、壁状部１１の内側にわずかな角度をもって上向に傾斜したテーパ面１４と、このテーパ面１４の下端から内向きに突出した突条１５とによって構成されている。
【００２７】
このような受枠１０の長辺部の中心には、外向きに突出する張出し部１６，１６が設けられている。この張出し部１６は、壁状部１１がコ字形に突出し、座部１２の幅が狭くされている。この張出し部１６を除いて、受枠１０の各長辺部の支承部１３の下側には、板状のレール１７が突設されている。このレール１７は、中心から端部に向けて次第に浅くなるように傾斜している。
【００２８】
そして、レール１７の内端は、折り返され、蓋２が勝手に取り外されないようにロック機構として作用するカバー部１８が設けられている。また、受枠１０の各短辺部には、後記する施錠手段３７の鉤形の突出部に被さる被係止部（図示せず）が突設されている。
【００２９】
一方、蓋２は図２（ｂ）に示すように、センター蓋体２０とこのセンター蓋体２０を両側から挟む一対のサイド蓋体３０，３０とに分割されている。そして、センター蓋体２０は、両端部２０ａ，２０ａが前記張出し部１６，１６に嵌め込まれるようにサイド蓋体３０の幅よりも長く形成されている。
【００３０】
また、センター蓋体２０は図３に示すように、前記受枠１０の両張出し部１６，１６間に架け渡される基板２１と、この基板２１の両側に設けられた一対の側板２２，２２をほぼＨ字形に一体成形したもので、側板２２の側面２２ａの上側がわずかな角度をもって上向きに傾斜し、側板２２の中間部に突条２３が突設されている。また、側板２２の両端部は、この突条２３と、この突条２３よりも下側の下端部２４が設けられず、基板２１の両端部２０ａ，２０ａが受枠１０の張出し部１６，１６に嵌め込まれるようにされている。
【００３１】
そして、サイド蓋体３０は、基板３１の全周に側板３２が一体成形されたもので、側板３２の下端に基板３１が接合し、トレーのような凹部３３を有する形状とされている。この凹部３３内にインターロッキングブロックのような貼り物（図示せず）が埋められる。また、基板３１の表裏面にはリブ３１ａが格子形状に設けられているが、表面側のリブ３１ａは低くされている。
【００３２】
そして、側板３２の側面３２ａは、図３に示すように、前記受枠１０の支承部１３のテーパ面１４およびセンター蓋体２０の上向きに傾斜している側面２２ａと接合するようにわずかに下向きに傾斜している。さらに、基板３１の外周の底面は、前記受枠１０の支承部１３の突条１５とセンター蓋体２０の突条２３に近接し、サイド蓋体３０に大きな荷重が加えられたときに、この突条１５，２３によって支承される。
【００３３】
そして、サイド蓋体３０がセンター蓋体２０と接合する側の内側サイドの底面両端部には、前記レール１７上を転動するローラ３３が取り付けられている。このローラ３３は、基板３１の底側に固定された脚部３４から分岐したホルダー３５に取り付けられている。
【００３４】
また、サイド蓋体３０が受枠１０の短辺部と接合する側の外側サイド端部の中心には、開閉用のハンドル（図示せず）を引っ掛ける差込用穴３６が設けられている。さらに、サイド蓋体３０の外側サイド端部であって差込用穴３６の隣には、施錠手段３７が取り付けられている。施錠手段３７は、図示しないが、基板３１を鉛直方向に貫通するシリンダと、このシリンダ内で回転する回転軸と、この回転軸の下端に設けられ、シリンダの下端から突出する鉤形の突出部とを備えている。
【００３５】
以上のように構成された矩形状マンホールは、図１（ａ）に示すように受枠１０の張出し部１６，１６にセンター蓋体２０の両端部２０ａ，２０ａが嵌め込まれ、このセンター蓋体２０の両側を挟むようにサイド蓋体３０が受枠１０にセットされることにより、開口部１が蓋２によって塞がれている。このとき、サイド蓋体３０のローラ３３の上側には、図１（ｂ）、図３に示すように、カバー部１８が覆い被さった状態となっている。そして、施錠手段３７によって施錠することにより、サイド蓋体３０だけでなく、センター蓋体２０も勝手に開けられることがない。
【００３６】
すなわち、センター蓋体２０は、側板２２の側面２２ａの上側にサイド蓋体３０の側板３２の側面３２ａが被さる状態となるため、上方に抜き取られることがない。また、サイド蓋体３０は、外側サイド端部に取り付けられた施錠手段３７の突出部が受枠１０に突設された被係止部の下側に位置し、ローラ３３がカバー部１８の下側に位置し、カバー部１８がロック機構のように作用するため、サイド蓋体３０も上方に抜き取られることがない。
【００３７】
そして、開口部１を開けた状態にするには、施錠手段３７の突出部を受枠１０の被係止部から外すことによって開錠する。その後、サイド蓋体３０の差込用穴３６にハンドル（図示せず）の下端部を引っ掛け、図４（ａ）に示すように、サイド蓋体３０の外側サイドを持ち上げる。続いて、図４（ｂ）に示すようにローラ３３がレール１７上を転動しながらサイド蓋体３０が受枠１０上から排出される。
【００３８】
そして、図４（ｃ）に示すように、サイド蓋体３０は、受枠１０から完全に外されると、地面上に置かれる。さらに、他方のサイド蓋体３０も同様に受枠１０から取り外す。この状態においては、センター蓋体２０の側板２２上には、サイド蓋体３０の側板３２が重なっていないため、センター蓋体２０は、図４（ｄ）に示すように、持ち上げられ、開口部１が完全に開けられる。
【００３９】
逆に、開口部１を蓋２によって塞ぐときは、まず、センター蓋体２０を受枠１０の中間部にセットする。そして、サイド蓋体３０によって開口部１を完全に塞ぐ。このとき、サイド蓋体３０のローラ３３がレール１７上を転動するが、レール１７が短辺部側の端部側から中心側へ向けて深くなるように傾斜しているため、サイド蓋体３０の側板３２がセンター蓋体２０の側板２２に勢いよく衝突する。
【００４０】
しかし、センター蓋体２０は、両端部２０ａ，２０ａが張出し部１６，１６内に嵌め込まれた状態となっているため、センター蓋体２０に押されて移動しない。したがって、サイド蓋体３０は、所定の位置で開口部１を塞ぐ。続いて、他方のサイド蓋体３０によって開口部１の残りの部分が完全に塞がれると、図１に示すように、受枠１０にセンター蓋体２０とサイド蓋体３０とが嵌め込まれた状態となる。
【００４１】
なお、本発明は、前記の実施形態に限定することなく、特許請求の範囲に記載した技術的事項の範囲内において種々変更することができる。例えば、センター蓋体２０とサイド蓋体３０の側面３２ａは傾斜せず、水平方向を向きとし、Ｌ字形のフックなどによってセンター蓋体２０がサイド蓋体３０から取り外されないようにしてもよい。また、サイド蓋体３０には、ローラ３３を備えず、レール１７上をスムーズに移動するような脚部を設けてもよい。さらに、矩形状マンホールが施錠する必要のない場所に設置されるときは、施錠手段３７を備えないようにすることができる。さらに、この矩形状マンホールは、共同溝と地上とを連通させるためだけでなく、貯水池などを塞ぐ覆蓋などとしても使用することができる。
【図面の簡単な説明】
【００４２】
【図１】本発明に係る矩形状マンホールの一実施形態であって、（ａ）は平面図、（ｂ）は（ａ）のＡ−Ａ線断面図である。
【図２】本発明に係る矩形状マンホールの一実施形態であって、（ａ）は受枠の平面図、（ｂ）は蓋をセンター蓋体と一対のサイド蓋体とに分離した平面図である。
【図３】本発明に係る矩形状マンホールの一実施形態であって、要部を拡大した正面断面図である。
【図４】本発明に係る矩形状マンホールの一実施形態であって、（ａ）はサイド蓋体を開け始めたときの正面断面図、（ｂ）は一方のサイド蓋体を開けている途中の正面断面図、（ｃ）は一方のサイド蓋体を開け終えたときの正面断面図、（ｄ）はセンター蓋体を取り外したときの正面断面図である。
【図５】従来の矩形状マンホールの一例であって、（ａ）は平面図、（ｂ）は（ａ）のＢ−Ｂ線断面図である。
【符号の説明】
【００４３】
２……蓋
２ａ…周端部
１０……受枠
１３……支承部
１６……張出し部
１７……レール
１８……カバー部
２０……センター蓋体
２０ａ…端部
２２ａ…側面
３０……サイド蓋体
３２ａ…側面
３７……施錠手段
【図１】
2006336312.tif 000003
【図２】
2006336312.tif 000004
【図３】
2006336312.tif 000005
【図４】
2006336312.tif 000006
【図５】
2006336312.tif 000007